(57)【要約】【課題】  回路規模を大きくすることなく、γ補正を伴う電流駆動型階調制御を実現させること。【解決手段】  コントローラＩＣ４より、発光制御する階調に対応した指令信号が出力されると、これに基づいてリニアデータテーブル１１およびγ補正データテーブル１２よりそれぞれ異なる輝度変換データの組み合わせが抽出される。各輝度変換データは、第１ＤＡＣ１３および第２ＤＡＣ１４によってそれぞれアナログ変換され、これらは抵抗Ｒ１，Ｒ２および加算回路１５により平均値の電圧レベルに変換される。この平均値の電圧レベルによってカレントミラー回路１６における吸い込み電流が制御され、結果としてカレントミラー回路１６より、γ補正を伴う発光素子の駆動電流を得ることができる。前記第１ＤＡＣ１３および第２ＤＡＣ１４は、リニアデータテーブル１１およびγ補正データテーブル１２から得られる比較的単純な輝度変換データを扱い、これをアナログ変換するものであり、したがって回路規模を増大させることなくγ補正を伴う発光制御回路を実現させることができる。【選択図】  図４
2005221701.tif 000002
【特許請求の範囲】
【請求項１】
互いに交差する複数のデータ線および複数の走査線と、前記各データ線および各走査線との交差位置において、前記各データ線と各走査線との間にそれぞれ接続された発光素子からなるパッシブマトリクス型発光表示パネルの駆動装置であって、
発光制御する階調に対応してそれぞれ異なる輝度変換データの組み合わせを取得する複数の輝度変換データ取得手段と、
前記各輝度変換データ取得手段によってそれぞれ取得された輝度変換データの平均値を生成する平均値データ生成手段と、
前記平均値データ生成手段により得られる平均値データに基づいて、前記発光素子に対してγ補正を含む階調制御を行なうことができる発光駆動電流を前記データ線に供給する駆動電流供給手段と、
を具備したことを特徴とする発光表示パネルの駆動装置。
【請求項２】
前記複数の輝度変換データ取得手段が２つの輝度変換データ取得手段で構成され、そのうちの１つの輝度変換データ取得手段は、発光制御する階調に対応して直線（リニア）階調の関係になされる輝度変換データが取得できるように構成されていることを特徴とする請求項１に記載の発光表示パネルの駆動装置。
【請求項３】
前記複数の輝度変換データ取得手段が、発光制御する階調に対応して互いに異なる輝度変換データをそれぞれ格納した複数のデータテーブルにより構成され、前記平均値データ生成手段が、前記各データテーブルより読み出されたそれぞれの輝度変換データをアナログデータに変換する複数のＤＡＣと、前記各ＤＡＣによるそれぞれのアナログデータの平均値をとる加算手段よりなることを特徴とする請求項１または請求項２に記載の発光表示パネルの駆動装置。
【請求項４】
前記複数のデータテーブルが２つのデータテーブルで構成され、そのうちの１つのデータテーブルには、発光制御する階調に対応して直線（リニア）階調の関係になされた輝度変換データが格納されていること特徴とする請求項３に記載の発光表示パネルの駆動装置。
【請求項５】
前記駆動電流供給手段が、前記平均値データ生成手段より得られる平均値データに基づいて、カレントミラー回路の吸い込み電流を制御するように構成され、前記カレントミラー回路によって前記データ線に供給される発光素子への発光駆動電流が制御されるように構成されていることを特徴とする請求項１ないし請求項４のいずれか１項に記載の発光表示パネルの駆動装置。
【請求項６】
前記発光表示パネルを構成する発光素子が、有機材料を発光層に用いた有機ＥＬ素子であることを特徴とする請求項１ないし請求項５のいずれか１項に記載の発光表示パネルの駆動装置。
【請求項７】
互いに交差する複数のデータ線および複数の走査線と、前記各データ線および各走査線との交差位置において、前記各データ線と各走査線との間にそれぞれ接続された発光素子からなるパッシブマトリクス型発光表示パネルの駆動方法であって、
発光制御する階調に対応して予め設定されたそれぞれ異なった輝度変換データの組み合わせを取得すると共に、前記各輝度変換データよりこれら各輝度変換データの平均値のデータを生成し、前記平均値のデータに基づいて、前記発光素子に対してγ補正を含む階調制御を実現することができる発光駆動電流を供給することを特徴とする発光表示パネルの駆動方法。
【発明の詳細な説明】
【技術分野】
【０００１】
この発明は、発光素子として例えば有機ＥＬ（エレクトロルミネッセンス）素子を用いたパッシブマトリクス型表示パネルを対象とした駆動装置に関し、特に回路規模を増大させることなく、γ（視感度）補正を含む電流駆動型階調制御を実現させた発光表示パネルの駆動装置および駆動方法に関する。
【背景技術】
【０００２】
発光素子をマトリクス状に配列して構成した表示パネルの開発が広く進められており、このような表示パネルに用いられる発光素子として、有機材料を発光層に用いた有機ＥＬ素子が注目されている。これは素子の発光層に、良好な発光特性を期待することができる有機化合物を使用することによって、実用に耐え得る高効率化および長寿命化が進んだことも背景にある。
【０００３】
前記した有機ＥＬ素子は、電気的にはダイオード特性を有する発光エレメントと、この発光エレメントに並列に結合する寄生容量成分とによる構成に置き換えることができ、有機ＥＬ素子は容量性の発光素子であるということができる。この有機ＥＬ素子は、発光駆動電圧が印加されると、先ず、当該素子の電気容量に相当する電荷が電極に変位電流として流れ込み蓄積される。続いて当該素子固有の一定の電圧（発光閾値電圧＝Ｖth）を越えると、一方の電極（ダイオード成分の陽極側）から発光層を構成する有機層に電流が流れ初め、この電流に比例した強度で発光すると考えることができる。
【０００４】
一方、前記した有機ＥＬ素子は電流・輝度特性が温度変化に対して安定しているのに対して、電圧・輝度特性が温度変化に対して不安定であること、また、有機ＥＬ素子は過電流を受けた場合に劣化が激しく、発光寿命を短縮させるなどの理由により、一般的には定電流駆動がなされる。そして、かかる有機ＥＬ素子を用いたパッシブ駆動型表示パネルが、すでに一部において実用化されている。
【０００５】
前記したパッシブ駆動型表示パネルの階調制御方法としては、各走査期間における発光時間を制御することで所定の階調を得る時間階調方式と、各走査期間において発光素子に与える駆動電流を制御することで所定の階調を得る電流階調方式が提案されている。前記したいずれの階調制御方式においても、それぞれに長所および短所はあるものの、特に後者の電流階調方式は時間階調方式を採用する場合に比較して、一般的にＥＬ素子の寿命を延命させることができると言われている。その理由は、時間階調方式を採用した場合においては、ＥＬ素子の発光時には、ほぼ最大駆動電流を流す制御がなされるのに対して、電流階調方式の場合には、最大駆動電流を流す機会はほとんど発生しないためである。
【０００６】
ここで、後者の電流階調方式を採用する場合においては、階調に応じて発光素子に与える駆動電流値をリニアに制御することは比較的容易である。この場合においては、例えば同一の抵抗値を有する複数の抵抗体を直列接続するなどして、いわゆるラダー抵抗を構成し、その各接続箇所の電位をそれぞれ引き出して、この電位に基づいて生成される駆動電流を前記発光素子に供給するように構成される。
【０００７】
しかしながら、前記した構成によって、γ補正を含む電流階調を実現させようとする場合においては、前記した比較的単純な構成では対応することができず、以下の理由によりその回路規模がきわめて大きくなるという問題が発生する。
【０００８】
すなわち、図１はこの種のＥＬ素子を用いた場合において好適に採用されるγ補正カーブの一例を示したものであり、横軸は階調を示し縦軸は発光輝度を示している。そしてＥＬ素子を用いた場合における理想的な階調に対する輝度特性は、γ＝１．８〜２．０程度の補正カーブに基づくものであると言われている。
【０００９】
この図１に例示したγ補正カーブから理解できるように、低階調側においては各階調ごとの発光の輝度差は非常に小さく、高階調側においては階調ごとの輝度差を大きくすることが必要になる。したがって、特に低階調側においては階調ごとの発光の輝度差を微細に制御する必要があるために、これを前記したラダー抵抗の構成において実現させようとした場合には、僅かに抵抗値が異なる多数の抵抗体を用意し、これらを例えば直並列に組み合わせるなどの工夫が必要となる。また、その直並列の接続関係を切り換え制御するスイッチングトランジスタ等も必要とする場合も発生するなど、その回路構成は複雑かつ大規模になる。さらに、ユーザにおいてγ補正特性を変更したいという要求がある場合においては、前記各抵抗を可変できるように構成しなければならない。
【００１０】
一方、前記した問題を避けるためにラダー抵抗を比較的単純化し、ラダー抵抗より電圧出力を抽出するためのＤＡＣ（Digital to Analog Converter ）において、前記したγ補正特性を持たせる手段も考えられる。しかしながら、このような手段を用いた場合には、ＤＡＣの制御ビット数を大きくせざるを得ないという別の問題が発生する。
【００１１】
そこで、前記したようなラダー抵抗の組み合わせ、もしくはＤＡＣにγ補正手段を付帯させるのを避けて、ＤＡＣの出力に基づいて発光素子に与える駆動電流値を生成するカレントミラー回路に、前記したγ補正特性の機能を持たせることが、特許文献１に開示されている。
【特許文献１】特開２００３−２８８０５１号公報
【発明の開示】
【発明が解決しようとする課題】
【００１２】
ところで、前記した特許文献１に開示されたγ補正回路によると、カレントミラー回路の負荷抵抗を可変させることで、発光素子に与える駆動電流を制御し、これによりγ特性を与えようとするものである。しかしながら、特許文献１に開示された具体的なγ補正手段を参照すると、カレントミラー回路の負荷抵抗を可変させるために、多数の抵抗体（ラダー抵抗）と、数ビットにより制御されるＤＡＣを併用したものであり、その基本構成は実質的に前記したラダー抵抗とＤＡＣとの組み合わせによるものと変わりない。
【００１３】
そして、ユーザにおいてγ補正特性を変更したいという要求がある場合においては、特許文献１に開示された構成おいても、別に可変抵抗等を用意しなければならないという問題を抱えており、この点については前記した従来例と同様である。
【００１４】
この発明は前記した技術的な問題点に着目してなされたものであり、各走査期間において発光素子に与える駆動電流値を制御することで所定の階調を得る電流階調方式を採用し、回路規模を大きくすることなく、実用上において十分な精度のγ補正を実現する発光表示パネルの駆動装置および駆動方法を提供することを課題とするものである。
【課題を解決するための手段】
【００１５】
前記した課題を解決するためになされたこの発明にかかる発光表示パネルの駆動装置における好ましい形態は、請求項１に記載のとおり、互いに交差する複数のデータ線および複数の走査線と、前記各データ線および各走査線との交差位置において、前記各データ線と各走査線との間にそれぞれ接続された発光素子からなるパッシブマトリクス型発光表示パネルの駆動装置であって、発光制御する階調に対応してそれぞれ異なる輝度変換データの組み合わせを取得する複数の輝度変換データ取得手段と、前記各輝度変換データ取得手段によってそれぞれ取得された輝度変換データの平均値を生成する平均値データ生成手段と、前記平均値データ生成手段により得られる平均値データに基づいて、前記発光素子に対してγ補正を含む階調制御を行なうことができる発光駆動電流を前記データ線に供給する駆動電流供給手段とを具備した点に特徴を有する。
【００１６】
また、前記した課題を解決するためになされたこの発明にかかる発光表示パネルの駆動方法における好ましい態様は、請求項７に記載のとおり、互いに交差する複数のデータ線および複数の走査線と、前記各データ線および各走査線との交差位置において、前記各データ線と各走査線との間にそれぞれ接続された発光素子からなるパッシブマトリクス型発光表示パネルの駆動方法であって、発光制御する階調に対応して予め設定されたそれぞれ異なった輝度変換データの組み合わせを取得すると共に、各輝度変換データよりこれら各輝度変換データの平均値のデータを生成し、前記平均値のデータに基づいて、前記発光素子に対してγ補正を含む階調制御を実現することができる発光駆動電流を供給する点に特徴を有する。
【発明を実施するための最良の形態】
【００１７】
以下、この発明にかかる発光表示パネルの駆動装置について、図に示す実施の形態に基づいて説明する。先ず図２はこの発明が適用されるパッシブ駆動型表示パネルと、その駆動装置の基本構成を示したものである。このパッシブマトリクス駆動方式における有機ＥＬ素子のドライブ方法には、陰極線走査・陽極線ドライブ、および陽極線走査・陰極線ドライブの２つの方法があるが、図２に示された構成は前者の陰極線走査・陽極線ドライブの形態を示している。
【００１８】
すなわち、ｎ本のデータ線としての陽極線Ａ1 〜Ａn が縦方向に配列され、ｍ本の走査線としての陰極線Ｋ1 〜Ｋm が横方向に配列され、各々の交差した部分（計ｎ×ｍ箇所）に、ダイオードのシンボルマークで示した発光素子としての有機ＥＬ素子Ｅ11〜Ｅnmが配置されて、表示パネル１を構成している。
【００１９】
そして、画素を構成する各ＥＬ素子Ｅ11〜Ｅnmは、縦方向に沿う陽極線Ａ1 〜Ａn と横方向に沿う陰極線Ｋ1 〜Ｋm との各交点位置に対応して、一端（ＥＬ素子の等価ダイオードにおける陽極端子）が陽極線に、他端（ＥＬ素子の等価ダイオードにおける陰極端子）が陰極線に接続されている。さらに、各陽極線Ａ1 〜Ａn はデータドライバとしての陽極線ドライブ回路２に接続され、各陰極線Ｋ1 〜Ｋm は走査ドライバとしての陰極線走査回路３に接続されてそれぞれ駆動される。
【００２０】
前記陽極線ドライブ回路２には、駆動電圧ＶH を利用して動作する定電流源Ｉ1 〜Ｉn およびドライブスイッチＳa1〜Ｓanが備えられており、ドライブスイッチＳa1〜Ｓanが、前記定電流源Ｉ1 〜Ｉn 側に接続されることにより、定電流源Ｉ1 〜Ｉn からの電流が、陰極線に対応して配置された個々のＥＬ素子Ｅ11〜Ｅnmに対して駆動電流として供給されるように作用する。また、前記ドライブスイッチＳa1〜Ｓanは、定電流源Ｉ1 〜Ｉn からの電流を個々のＥＬ素子に供給しない場合には、当該陽極線を基準電位点としてのグランド側に接続できるように構成されている。
【００２１】
一方、前記陰極線走査回路３には、各陰極線Ｋ1 〜Ｋm に対応して走査スイッチＳk1〜Ｓkmが備えられ、主にクロストーク発光を防止するための一定の直流電圧による逆バイアス電圧Ｖk または基準電位点としてのグランド電位のうちのいずれか一方を、対応する陰極線に接続するように作用する。これにより、各陰極線を所定の周期で順次基準電位点（グランド電位）に設定しながら、所望の陽極線Ａ1 〜Ａn に定電流源Ｉ1 〜Ｉn を接続することにより、前記各ＥＬ素子を選択的に発光させることができる。
【００２２】
なお、前記した陽極線ドライブ回路２および陰極線走査回路３には、ＣＰＵを含むコントローラＩＣ４よりバスラインが接続されており、表示すべき映像信号に基づいて、前記走査スイッチＳk1〜ＳkmおよびドライブスイッチＳa1〜Ｓanの切り換え操作がなされる。これにより、映像信号に基づいて前記したとおり陰極走査線が所定の周期でグランド電位に設定され、所望の陽極線に対して定電流源Ｉ1 〜Ｉn が接続される。それ故、前記各ＥＬ素子が選択的に発光されることで、表示パネル１上に前記映像信号に基づく画像が表示される。
【００２３】
なお、図２に示す状態は、第１の陰極線Ｋ1 がグランド電位に設定されて走査状態になされ、この時、非走査状態の各陰極線Ｋ2 〜Ｋm には、前記した逆バイアス電圧Ｖk が印加される。したがって、ドライブされている陽極線と走査選択がなされていない陰極線との交点に接続された各ＥＬ素子がクロストーク発光するのが防止されるように作用する。
【００２４】
図３は、表示パネル１に配列された前記ＥＬ素子に供給する駆動電流を制御することにより、階調制御を実現するこの発明にかかる実施の形態を示したものである。なお図３において符号４で示すコントローラＩＣは、図２に示したそれと同一のものであり、図３において鎖線で囲まれた符号２で示すデータドライバ（陽極線ドライブ回路）も、図２に示したそれと同一のものである。
【００２５】
図３に示した実施の形態においては、陽極線ドライブ回路２内に符号１１で示す第１データテーブル、および符号１２で示す第２データテーブルが配備されている。そして、コントローラＩＣ４からは、発光制御する階調に対応した指令信号が第１および第２のデータテーブル１１，１２に供給され、これによりそれぞれのデータテーブル１１，１２より、それぞれ異なる輝度変換データの組み合わせが読み出されるように構成されている。したがって、前記データテーブル１１，１２は輝度変換データ取得手段を構成している。なお、前記各データテーブル１１，１２における輝度変換データの具体例は、後で図７および図８に基づいて説明する。
【００２６】
前記第１データテーブル１１から読み出される輝度変換データは、符号１３で示す第１ＤＡＣに供給され、第２データテーブル１２から読み出される輝度変換データは、符号１４で示す第２ＤＡＣに供給される。そして、第１ＤＡＣ１３において変換された第１アナログデータは抵抗Ｒ１を介して加算回路１５に供給され、第２ＤＡＣ１４において変換された第２アナログデータは抵抗Ｒ２を介して同じく加算回路１５に供給される。
【００２７】
したがって、抵抗Ｒ１，Ｒ２および加算回路１５は、第１および第２ＤＡＣにより変換された各アナログデータの平均値をとる加算手段を構成しており、この加算手段と前記各ＤＡＣとにより平均値データ生成手段を構成している。そして、前記加算手段を構成する加算回路１５からは、各アナログデータの平均値に基づく制御電圧Ｖcon が生成されるように作用する。
【００２８】
一方、前記した加算回路１５より出力される制御電圧Ｖcon に基づいて、カレントミラー回路１６における吸い込み電流ａを制御するように構成されており、これによりカレントミラー回路１６からは、図１に示したデータ線としての陽極線Ａ1 〜Ａn に対してＥＬ素子の発光駆動電流ａをＡout に出力するように動作する。すなわち、前記カレントミラー回路１６は、前記した陽極線ドライブ回路２における各定電流源Ｉ1 〜Ｉn の機能を果たし、これは駆動電流供給手段を構成している。
【００２９】
図５は、図３に示した第１ＤＡＣ１３（もしくは第２ＤＡＣ１４）の具体例を示すものである。このＤＡＣ１３は一例として電流加算型のＤＡコンバータを示している。すなわち、同一値の８つの抵抗体Ｒが直列接続されて電源ＶＤＤとグランド間に配列され、それぞれの接続点の分圧電位は、同一値の抵抗２Ｒを介して選択スイッチＳＷ1 〜ＳＷ6 に供給されるように構成されている。前記選択スイッチＳＷ1 〜ＳＷ6 は、それぞれの分圧電位を、オペアンプにより構成されたバッファー１３ａに供給するか、もしくはグランドに接続するように構成されている。
【００３０】
そして、前記選択スイッチＳＷ1 〜ＳＷ6 は制御信号（デジタル量）によりＯＮ／ＯＦＦ状態が設定され、バッファー１３ａよりアナログデータ（アナログ電圧Ｖcon1もしくはＶcon2）が出力されるようになされる。なお、図５に示したＤＡＣの出力特性はリニアであり、選択スイッチＳＷ1 〜ＳＷ6 をＯＮ／ＯＦＦ制御する前記制御信号は、図３に示した第１または第２データテーブル１１，１２から読み出された輝度変換データが利用される。
【００３１】
図６は、前記した加算回路１５より出力される制御電圧Ｖcon に基づいて、駆動電流が制御されるカレントミラー回路１６の例を示したものである。このカレントミラー回路１６おいては、駆動電圧源ＶＨに接続された抵抗Ｒ３，Ｒ４を介してＰＮＰ型トランジスタＱ１，Ｑ２の各エミッタが接続されており、各トランジスタＱ１，Ｑ２のベースは共通接続されている。そして電流制御側を構成するトランジスタＱ１のベース・コレクタ間は直結されている。
【００３２】
前記トランジスタＱ１のコレクタにはＮＰＮ型トランジスタＱ３のコレクタが接続されており、そのエミッタは抵抗Ｒ５を介してグランドに接続されている。そして、トランジスタＱ３のベースには、前記した加算回路１５より出力される制御電圧Ｖcon が供給されるように構成されている。したがって、トランジスタＱ３は加算回路１５により出力される制御電圧Ｖcon によって動作する電流吸い込み回路を構成しており、この電流吸い込み回路により吸い込まれる電流値に対応した電流が、カレントミラー作用によりトランジスタＱ２のコレクタよりＡout として出力される。
【００３３】
前記カレントミラー回路１６を構成するトランジスタＱ２と負荷抵抗Ｒ４の組み合わせは、図２に示した陽極線ドライブ回路２における例えば定電流源Ｉ1 に相当するものであり、他の定電流源Ｉ2 〜Ｉn においても、同様にベースが共通接続されたトランジスタと負荷抵抗の組み合わせにより実現させることができる。
【００３４】
図７は図３に示した第１データテーブル１１および第２データテーブル１２の具体例を示すものである。この図７に示す最も左列は発光制御する階調を示しており、ここでは“階調０”〜“階調６３”の６４段階になされている。その右隣の列は、前記した第１データテーブル１１（テーブル１）に格納されている輝度変換データを示しており、この図７に示した例においては、その左列に示した階調に対応して、直線（リニア）階調による発光制御が実行されるようにデータが配列されている。すなわち、“階調０”〜“階調６３”に対応してテーブル１に格納されている輝度変換データ（ｔ１）も、“０”〜“６３”になされている。
【００３５】
図７におけるさらにその右隣の列（テーブル２）は、テーブル１に格納された輝度変換データとの平均値によりγ補正を伴う階調制御を実現させる第２データテーブル１２に格納された輝度変換データ（ｔ２）であり、これはγ補正データテーブルと言うこともできる。すなわち、図７に示された第１および第２データテーブル１１，１２の組み合わせは、図４に示すリニアデータテーブル１１とγ補正データテーブル１２の組み合わせ構成として説明することができる。
【００３６】
図７におけるさらにその右隣にはテーブル１とテーブル２によって得られる輝度変換データの平均値が示されている。すなわち、これは加算回路１５より出力される制御電圧Ｖcon に対応するアナログデータであると言うことができる。図７におけるさらにその右隣には理想とするγ補正値、すなわち階調に対応した輝度値が示されている。そして最も右列には、前記γ補正値に対する前記平均値の「差」が示されている。したがって、前記「差」の絶対値が“０”近いほど、理想とするγ補正値に近いものであると言うことができる。
【００３７】
図７に示すテーブル１およびテーブル２に示された輝度変換データは説明の便宜上、数字によるアナログ量で示しているが、これらは全て単純な２桁以内の整数のデータによって構築されている。したがって、すでに説明したデジタルデータにより駆動される第１ＤＡＣ１３および第２ＤＡＣ１４の回路規模を増大させることなく、その制御動作も単純化させることができる。そして、結果として前記した平均値で示すように、理想のγ補正値に近いものを得ることができる。
【００３８】
図８は、前記したデータテーブルの第２の具体例を示したものである。この図８に示した配列関係は図７に示したものと同一になされている。この図８におけるテーブル１に示す輝度変換データによると、低い階調の領域においては必ずしも直線（リニア）階調による発光制御を実行するものではないが、テーブル２に格納された輝度変換データとの組み合わせにより、その平均値は理想のγ補正値に、より近いものになされることが理解できる。
【００３９】
以上説明したとおり、この発明にかかる発光表示パネルの駆動装置によると、発光制御する階調に対応してそれぞれ異なる複数の輝度変換データが抽出され、これらは各ＤＡＣによりアナログデータに変換され、その平均値によってγ補正を伴う発光素子の駆動電流を得るようになされる。この時、複数の輝度変換データの平均値をとるように動作するので、比較的単純な輝度変換データをそれぞれ扱うことができる。したがって、各ＤＡＣの回路規模を増大させることなくγ補正を伴う発光制御回路を実現させることができる。
【００４０】
なお、以上説明した実施の形態においては、発光素子として有機ＥＬ素子を用いているが、これは発光輝度が駆動電流に依存する他の発光素子を用いることもできる。また、図３および図４に示す実施の形態においては、符号１１および１２で示す２つのテーブルを利用するようにしているが、これは３つ以上のテーブルを利用することもできる。
【図面の簡単な説明】
【００４１】
【図１】有機ＥＬ素子を用いた場合において好適に採用されるγ補正カーブの一例を示した特性図である。
【図２】この発明が適用されるパッシブ駆動型表示パネルと、その駆動装置の基本構成を示し結線図である。
【図３】電流駆動方式の階調制御を実現するこの発明にかかる基本的な実施の形態を示したブロック図である。
【図４】この発明にかかる他の実施の形態を示したブロック図である。
【図５】図３および図４に示す構成において利用されるＤＡＣの好ましい一例を示した結線図である。
【図６】図３および図４に示す構成において利用されるカレントミラー回路の好ましい一例を示した結線図である。
【図７】γ補正を伴う階調制御を実現するために用いる格納データの例を示したテーブル構成図である。
【図８】同じく格納データの他の例を示したテーブル構成図である。
【符号の説明】
【００４２】
１          発光表示パネル
２          データドライバ
３          走査ドライバ
４          コントローラＩＣ
１１        第１データテーブル（リニアデータテーブル）
１２        第２データテーブル（γ補正データテーブル）
１３        第１ＤＡＣ
１４        第２ＤＡＣ
１５        加算回路
１６        カレントミラー回路
Ａ1 〜Ａn   データ線（陽極線）
Ｅ11〜Ｅnm  発光素子（有機ＥＬ素子）
Ｉ1 〜Ｉn   定電流源
Ｋ1 〜Ｋm   走査線（陰極線）
Ｓa1〜Ｓan  ドライブスイッチ
Ｓk1〜Ｓkm  走査スイッチ
【図１】
2005221701.tif 000003
【図２】
2005221701.tif 000004
【図３】
2005221701.tif 000005
【図４】
2005221701.tif 000006
【図５】
2005221701.tif 000007
【図６】
2005221701.tif 000008
【図７】
2005221701.tif 000009
【図８】
2005221701.tif 000010